(57)【要約】【課題】開閉機器の挿入及び引出時の安全性を確保することができ、盤内のケーブル配線が容易に行える構造で且つ盤全体を小型とすること。【解決手段】配電盤２１内において、母線２３を最上部に配設し、この母線２３の下に開閉機器２２を抜き差し自在に収容するユニット室２１ａ，２１ｂを盤正面幅方向に複数配設し、これらユニット室２１ａ，２１ｂの下に負荷ケーブル２８を配設するケーブル室２１ｃを備えて配電盤２１を構成する。そして、開閉機器２２が、母線２３に着脱自在に接続される電源側断路部２２ａが上部に配置され、負荷ケーブル２８に着脱自在に接続される負荷側断路部２２ｂが下部に配置された縦型の直方体形状を成し、この開閉機器２２がユニット室２１ａ，２１ｂに収納された際に、電源側断路部２２ａが母線２３に接続され、負荷側断路部２２ｂが負荷ケーブル２８に接続されるようにする。【選択図】      図１
2007288880.tif 000002
【特許請求の範囲】
【請求項１】
盤内に配設された母線と負荷ケーブルとの間に接続され、所定以上の電流が流れた際に電路を遮断する引出形の開閉機器を複数収納する配電盤において、
前記母線を盤内最上部に配設し、この母線の下に前記開閉機器を抜き差し自在に収容するユニット室を盤正面幅方向に複数配設し、これらユニット室の下に前記負荷ケーブルを配設するケーブル室を備えた
ことを特徴とする配電盤。
【請求項２】
前記開閉機器は、前記母線に着脱自在に接続される電源側断路部が上部に配置され、前記負荷ケーブルに着脱自在に接続される負荷側断路部が下部に配置された縦型の直方体形状を成し、この開閉機器が前記ユニット室に収納された際に、前記電源側断路部が前記母線に接続され、前記負荷側断路部が前記負荷ケーブルに接続される
ことを特徴とする請求項１に記載の配電盤。
【請求項３】
前記電源側断路部と前記母線とに橋状に接続可能に回動する板状を成す断路器と、盤正面の扉に設けられ、当該扉が閉状態でのみ前記断路器に係合して当該断路器を回動操作可能となる操作ハンドルとを備え、前記操作ハンドルの回動操作によって前記電源側断路部と前記母線とを接続状態又は切離し状態とすることを特徴とする請求項２に記載の配電盤。
【請求項４】
前記操作ハンドルが前記電源側断路部と前記母線とを切離し状態とする操作状態の場合にのみ前記扉の開操作が可能な開閉ハンドルを当該扉に備えたことを特徴とする請求項３に記載の配電盤。
【発明の詳細な説明】
【技術分野】
【０００１】
本発明は、高圧受配電設備に用いられる高圧真空遮断器などの引出形機器を、１乃至は複数台引き出し可能に収納する配電盤に関する。
【背景技術】
【０００２】
従来、配電盤に収納される高圧真空遮断器などの引出形機器は、配電盤の正面から奥行き方向及びこの逆方向を移動させる構成が一般的である。このため、引出形機器を奥行き方向へ移動させて母線及び負荷ケーブルに接続させると共に、正面方向に移動させて母線及び負荷ケーブルから切り離す電源側（母線側）及び負荷側の断路部は、引出形機器の背面側に並べて搭載される構成となっている。引出形機器を複数収納する場合には、縦形の直方体形状の配電盤の高さ方向に多段積みするのが一般的である。
【０００３】
このような構成の配電盤の例を図３及び図４に示す。図３（ａ）の側断面図及び（ｂ）の背断面図は、引出形機器を盤高さ方向に多段積み実装するためにケーブル室を背面側に配置した配電盤の構成例であり、図４（ａ）の正断面図及び（ｂ）の右側断面図は、ケーブル室を側面側に配置した配電盤の構成例である。
まず、図３に示す配電盤１は、縦長の直方体形状を成し、この内部が正面側と裏面側とに仕切り板で区切られることにより裏面側にケーブル室１ａ、正面側に複数のユニット室１ｂ，１ｃ，１ｄが設けられている。各ユニット室１ｂ〜１ｄは、配電盤１の高さ方向を仕切り板で引出形機器２の収容台数分（本例では３台分）の部屋に区切られて形成されている。また、各ユニット室１ｂ〜１ｄの正面には、各々ハンドルレバー１ｅが取り付けられた扉１ｆ，１ｇ，１ｈが開閉自在に取付けられている。
【０００４】
各ユニット室１ｂ〜１ｄに収容される引出形機器２は、室内奥側に固定されるクレードル２ａと、このクレードル２ａに着脱自在に取付けられ、台車６に載置されて室内を矢印Ｙ１で示す正面及び奥行き方向に自在に移動できる開閉機器２ｂとから成る。但し、台車６にはレバー６ａが着脱可能に取付けられており、このレバー６ａを倒すと台車６が移動し、引出し状態へ移動可能な状態となり、レバー６ａを起こすと台車６が挿入されて運転位置での固定状態となる。
【０００５】
また、開閉機器２ｂの前面には保護カバー２ｃが取付けられ、この保護カバー２ｃの表面にはハンドル２ｄが固定されている。台車６のレバー６ａを倒した後、そのハンドル２ｄを人が把持して開閉機器２ｂを正面及び奥行き方向に移動させるようになっている。
更に、開閉機器２ｂは、この内部に、上方に配置された高圧ヒューズ２ｂ−１と、この高圧ヒューズ２ｂ−１の下方に配置され、この高圧ヒューズ２ｂ−１の一端が接続される開閉接点である真空バルブが収納された真空バルブ用絶縁ケース２ｂ−２と、操作電源トランス２ｂ−３とを備えて構成されている。
【０００６】
この開閉機器２ｂがセットされるクレードル２ａには、高圧ヒューズ２ｂ−１の一端が導体を介して接続される電源側断路部２ｅと、真空バルブ用絶縁ケース２ｂ−２内の真空バルブの一端が導体を介して接続される負荷側断路部２ｆとが、各々他端がケーブル室１ａに突出して設けられている。
ケーブル室１ａには、上部に三相の母線３が備えられ、この母線３に接続された分岐母線３ａが配電盤１の底面に対して垂直状態に配置され、また、図示せぬ負荷装置のケーブル（負荷ケーブル）５が導かれている。その分岐母線３ａには、電源側ブッシング４ａを介して電源側断路部２ｅが接続され、負荷ケーブル５には、負荷側ブッシング４ｂを介して負荷側断路部２ｆが接続されている。
【０００７】
そして、破線ｉで示すように、分岐母線３ａからの電流が、電源側断路部２ｅ、高圧ヒューズ２ｂ−１、真空バルブ用絶縁ケース２ｂ−２内の真空バルブ、負荷側断路部２ｆを通って負荷ケーブル５へ流れるようになっている。
高圧ヒューズ２ｂ−１は、真空バルブの開閉で対応しきれない程の大きな短絡電流が流れた場合に電流経路を遮断するものである。つまり、通常流れる負荷電流は真空バルブの開閉で遮断するようになっている。
【０００８】
更に、電源側断路部２ｅ及び負荷側断路部２ｆは、開閉機器２ｂがクレードル２ａにセットされ、接続された際に開閉機器２ｂを分岐母線３ａ及び負荷ケーブル５と電気的に接続状態とし、また、開閉機器２ｂがクレードル２ａから分離された際に開閉機器２ｂを分岐母線３ａ及び負荷ケーブル５と電気的に断路状態とする。
このような構成において、開閉機器２ｂを電源及び負荷から切り離す場合は、作業者が配電盤１のハンドルレバー１ｅを操作して扉１ｆ〜１ｈを開け、台車６のレバー６ａを差し込んで倒した後、ハンドル２ｄを把持して開閉機器２ｂを断路位置Ｐ１まで引き出す。この断路位置Ｐ１において扉１ｆ〜１ｈが閉まるようにスペース２ｓが設けられている。
【０００９】
この状態から開閉機器２ｂを電源及び負荷に接続する場合は、扉１ｆ〜１ｈを開いた後、レバー６ａを引き起こし、ハンドル２ｄを把持して開閉機器２ｂを奥行き方向に移動させてクレードル２ａにセットする。そして、レバー６ａを外した後、扉１ｆ〜１ｈを閉じる。
このように、開閉機器２ｂを移動させる場合は、配電盤１の扉１ｆ〜１ｈを開放して行うが、万一の断路部接続時の事故に対する操作者の安全確保のため、各断路部２ｅ，２ｆが分岐母線３ａ及び負荷ケーブル５と接続状態にある場合は扉１ｆ〜１ｈが開放できず、開閉機器２ｂが閉であれば移動できないなどの安全インターロック機能を備え、これによって、開閉機器２ｂの移動を扉１ｆ〜１ｈの外から行う外部操作機構が設けられる場合もある。
【００１０】
次に、図４に示す配電盤１１は、縦長の直方体形状を成し、この内部が正面から見て縦に仕切り板で区切られ、この右側にケーブル室１１ａ、左側に高さ方向に３つのユニット室１１ｂ，１１ｃ，１１ｄが設けられている。また、配電盤１１の正面には盤全体の扉１１ｆが設けられている。
このような配電盤１１には、図３に示した配電盤１と同様に各ユニット室１１ｂ〜１１ｄに引出形機器２が収容され、この引出形機器２がケーブル室１１ａの分岐母線３ａ及び負荷ケーブル５に配線接続されている。但し、このように配電盤１１の側面にケーブル室１１ａを配置する場合は、負荷側の導体をケーブル端子１５の位置まで配線する必要がある。更に、この配電盤１１においても、上記の配電盤１と同様に安全インターロック機能が備えられている。
【００１１】
この種の従来の配電盤として、例えば特許文献１に記載のものがある。
【特許文献１】特公昭５８−７９４１０号公報
【発明の開示】
【発明が解決しようとする課題】
【００１２】
ところで、上述した従来の配電盤においては、開閉機器の断路部がその背面側に配置されているため、母線からの分岐導体（分岐母線）が必要で、負荷ケーブル側も同様に分岐導体が必要であり、開閉機器を多段積みする場合にはそれらの分岐導体が負荷ケーブル側とクロスするので、このクロスを避けるため並びに絶縁スペースを確保するために配電盤が大きくなるという問題がある。
【００１３】
また、開閉機器を多段積みした場合、配電盤高さ方向のスペースを使うためケーブル処理高さが確保できず、上述したように盤側面や背面に配置することになるので、導体などで適当なケーブル接続端子位置まで配線する必要が生じ、このための配線作業スペースや配線が必要となり、このスペースのために配電盤が大規模になるという問題がある。
【００１４】
また、開閉機器が断路位置にある場合にのみ配電盤扉の開閉が可能で、扉閉でのみ運転位置まで挿入可能とする外部操作機構などの安全インターロック機構については、専用機構を設けるために配電盤の下部又は側面に安全インターロック機構の収納スペースが必要となり、その機構や操作方法も複雑となる。このため、安全インターロック機構を設けない場合も多く、このような配電盤では万一の操作時の事故に対しては操作者の安全性が劣るという問題がある。
本発明は、このような課題に鑑みてなされたものであり、開閉機器の挿入及び引出時の安全性を確保することができ、盤内のケーブル配線が容易に行える構造で且つ盤全体を小型とすることができる配電盤を提供することを目的としている。
【課題を解決するための手段】
【００１５】
上記目的を達成するために、本発明の請求項１による配電盤は、盤内に配設された母線と負荷ケーブルとの間に接続され、所定以上の電流が流れた際に電路を遮断する引出形の開閉機器を複数収納する配電盤において、前記母線を盤内最上部に配設し、この母線の下に前記開閉機器を抜き差し自在に収容するユニット室を盤正面幅方向に複数配設し、これらユニット室の下に前記負荷ケーブルを配設するケーブル室を備えたことを特徴とする。
【００１６】
また、本発明の請求項２による配電盤は、請求項１において、前記開閉機器は、前記母線に着脱自在に接続される電源側断路部が上部に配置され、前記負荷ケーブルに着脱自在に接続される負荷側断路部が下部に配置された縦型の直方体形状を成し、この開閉機器が前記ユニット室に収納された際に、前記電源側断路部が前記母線に接続され、前記負荷側断路部が前記負荷ケーブルに接続されることを特徴とする。
【００１７】
これら請求項１および２の構成によれば、配電盤内に、最上部に母線を配設し、この下に縦型の直方体形状の開閉機器を配電盤の正面幅方向に複数台配列して収容する複数のユニット室と、これらユニット室の下にケーブル室を設けて配電盤を構成したので、従来の配電盤に比べ全体を小型とすることができ、また、ケーブル接続作業も容易に可能となっている。何故ならば、従来の配電盤は、盤背面又は盤側面に当該背面又は側面の全面のサイズで背面方向又は側面方向に空間を拡げ、この拡げた空間をケーブル室とした構成なので、ケーブル室を配電盤の高さ分確保しなければならず、このため、ケーブル室の容積が大きくなり、その分、配電盤全体の大きさが大きくなっていた。本発明では、ケーブル室は、開閉機器のユニット室の下に設けられるので、配電盤の下半分位の高さで済み、その分容積を小さくすることができ、これによって配電盤全体を小型化することができる。特に、従来の盤背面にケーブル室が設けられた配電盤と比較すると、本発明の配電盤では、正面から背面へ向かう奥行き方向のサイズを薄型とすることができる。また、本発明の配電盤は、ケーブル室は盤正面に開口し、その幅もユニット室の複数分あるため、人の作業スペースも十分に確保することができ、これによってケーブル接続作業を容易に行うことができる。
【００１８】
また、本発明の請求項３による配電盤は、請求項２において、前記電源側断路部と前記母線とに橋状に接続可能に回動する板状を成す断路器と、盤正面の扉に設けられ、当該扉が閉状態でのみ前記断路器に係合して当該断路器を回動操作可能となる操作ハンドルとを備え、前記操作ハンドルの回動操作によって前記電源側断路部と前記母線とを接続状態又は切離し状態とすることを特徴とする。
この構成によれば、配電盤の扉が閉状態でのみ、操作ハンドルによって開閉機器の電源側断路部と母線とを接続して通電状態とすることができるので、開閉機器の挿入及び引出時の安全性を確保することができる。
【００１９】
また、本発明の請求項４による配電盤は、請求項３において、前記操作ハンドルが前記電源側断路部と前記母線とを切離し状態とする操作状態の場合にのみ前記扉の開操作が可能な開閉ハンドルを当該扉に備えたことを特徴とする。
この構成によれば、開閉機器の電源側断路部と母線とが切離し状態である電源断状態の場合にしか扉を開くことができないので、配電盤の扉を開く際の安全性を確保することができる。
【発明の効果】
【００２０】
以上説明したように本発明によれば、開閉機器の挿入及び引出時の安全性を確保することができ、盤内のケーブル配線が容易に行える構造で且つ盤全体を小型とすることができるという効果がある。
【発明を実施するための最良の形態】
【００２１】
以下、本発明の実施の形態を、図面を参照して説明する。
図１は、本発明の実施の形態に係る配電盤の構成を示し、（ａ）は内部正面図、（ｂ）は外部正面図である。
本実施の形態の配電盤２１の特徴は、引出形の開閉機器２２を配電盤２１の正面幅方向に複数台（本例では２台）配列して実装し、これら開閉機器２２のユニット室２１ａ，２１ｂの下部にケーブル配線作業が可能な広さのケーブル室２１ｃを配置することで、配電盤２１全体の小型化を図り、ケーブルの接続作業を容易とした点にある。
【００２２】
この配電盤２１は、縦形の直方体形状を成し、最上部に三相の母線２３が配置され、この下に２つのユニット室２１ａ，２１ｂが設けられている。各ユニット室２１ａ，２１ｂは、縦型の開閉機器２２が抜き差し自在に収納できるフレーム構造となっており、この下がケーブル室２１ｃとなっている。
開閉機器２２は、幅の薄い縦型の直方体形状を成し、最上部に電源側断路部２２ａ、最下部に負荷側断路部２２ｂが配置され、これらの間に高圧ヒューズ２２ｃ及び開閉接点である真空バルブ２２ｄの双方が縦に配列されて構成されている。更に説明すると、高圧ヒューズ２２ｃの上端は導体を介して電源側断路部２２ａに接続され、下端は導体を介して真空バルブ２２ｄの上端に接続され、この真空バルブ２２ｄの下端は導体を介して負荷側断路部２２ｂに接続されている。
【００２３】
また、電源側断路部２２ａは、断路器２４によって母線２３と自在に接続／切離しされるようになっている。断路器２４は、図２（ｂ）にも示すように、細長い長方形状を成し、この中心に設けられた回転軸２４ａを中心に回動自在に配備されている。配電盤２１の扉２１ｄの正面には、扉２１ｄを閉めた際に回転軸２４ａに係合される操作ハンドル２５が個々の断路器２４に対応付けられて設けられている。
【００２４】
操作ハンドル２５は、断路器２４と直交状態に係合するように成されており、断路器２４が垂直状態の場合に回転軸２４ａに係合して水平状態となり、これによって断路器２４が上下の母線２３及び電源側断路部２２ａに接続されて開閉機器２２が通電状態となる。一方、操作ハンドル２５を水平状態から回動させて垂直状態とすると、これに応じて断路器２４は垂直状態から水平状態となって母線２３から切離された状態となり、開閉機器２２は電源断の状態となる。また、操作ハンドル２５は、垂直状態の場合に回転軸２４ａと係合又は当該係合を解除させることができる。
【００２５】
更に、操作ハンドル２５は、図２（ｂ）に示すように、扉２１ｄを開閉するための開閉ハンドル２６とインターロック機構２７で組み合わされている。インターロック機構２７は、例えば図２（ａ）に示すように、操作ハンドル２５ａ，２５ｂに組み合わされた垂直バー２７ａ，２７ｂと、この垂直バー２７ａ，２７ｂの先端に固定された細長い環状部２７ｃ，２７ｄと、開閉ハンドル２６に組み合わされた水平バー２７ｅとを備え、この水平バー２７ｅが各環状部２７ｃ，２７ｄの中に挿通されて構成されている。
【００２６】
そして、例えば一方の操作ハンドル２５ａが矢印Ｙ１１で示す方向に回動されて水平状態とされた場合は、垂直バー部２７ａが下がって先端の環状部２７ｃが水平バー２７ｅを上から下に押し付ける状態となり、これによって、開閉ハンドル２６が固定状態となる。つまり、開閉ハンドル２６は、通常、扉２１ｄが閉じられた際に垂直状態で扉２１ｄをロックし、矢印Ｙ１２で示す方向に回動することによってそのロックを解除して扉２１ｄを開可能な状態とする機構となっているので、図示のように１つでも操作ハンドル２５ａが水平状態の場合は、インターロック機構２７によって開閉ハンドル２６を回動操作して扉２１ｄを開くことができない。
【００２７】
更に説明すると、操作ハンドル２５ａが水平状態で断路器２４が垂直状態となって母線２３と電源側断路部２２ａとを接続した開閉機器２２の通電状態においては、開閉ハンドル２６を回動操作することができず、扉２１ｄを開とすることができないようになっている。これによって、安全性が確保されている。
一方、図示のように操作ハンドル２５ｂが矢印Ｙ１３で示す方向に回動されて垂直状態とされた場合は、垂直バー部２７ｂが上がって先端の環状部２７ｄの開口が水平バー２７ｅの上方に位置する状態となる。この際、他方の操作ハンドル２５ａも垂直状態であれば、水平バー２７ｅの上方に各環状部２７ｃの開口が位置するので、開閉ハンドル２６を矢印Ｙ１２の方向に回動操作させて扉２１ｄを開くことができる。
つまり、操作ハンドル２５ｂが垂直状態で断路器２４が水平状態となって母線２３と電源側断路部２２ａとから離れた開閉機器２２の電源断状態においては、安全なので、開閉ハンドル２６が回動操作可能な状態となり、扉２１ｄを開くことができる。
【００２８】
図１に示す負荷側断路部２２ｂは、負荷ケーブル２８が接続されたケーブル端子２９の上端に、左右から物を挟む凹状クリップが設けられ、開閉機器２２の真空バルブ２２ｄの下端に導体を介して凸部が設けられ、この凸部が凹状クリップに着脱自在に挟まれるクリップ構造となっている。このクリップ構造によって、断路器２４が母線２３から切離された状態であれば開閉機器２２を人がユニット室２１ａ，２１ｂから引き出す際に開閉機器２２が負荷ケーブル２８のケーブル端子２９から自動的に外れ、また、逆に収容する際に自動的にケーブル端子２９に開閉機器２２が接続されるようになっている。なお、ユニット室２１ａ，２１ｂは、レール構造などの開閉機器２２が容易に抜き差し可能な構造となっており、開閉機器２２の底面には車輪などのキャリア部品が設けられているものとする。
【００２９】
次に、このような構成の配電盤２１に開閉機器２２を収容したのち引き出す際の動作を説明する。
まず、配電盤２１の各ユニット室２１ａ，２１ｂに開閉機器２２を収容する場合、人が開閉ハンドル２６を水平状態として扉２１ｄを開け、各ユニット室２１ａ，２１ｂに開閉機器２２を収容する。この際、開閉機器２２の下の凸部がケーブル端子２９の凹状クリップに自動的に挟まれるので、開閉機器２２が負荷ケーブル２８に接続される。
【００３０】
次に、扉２１ｄを閉め、開閉ハンドル２６を垂直状態とした後、各操作ハンドル２５ａ，２５ｂを水平状態とする。これによって、断路器２４が垂直状態となって母線２３と電源側断路部２２ａとに接続されるので、開閉機器２２が通電状態となって、図１に破線矢印ｉ１で示すように電流が母線２３から、断路器２４、高圧ヒューズ２２ｃ、真空バルブ２２ｄを通って負荷ケーブル２８へ流れる。
【００３１】
この際、各操作ハンドル２５ａ，２５ｂは水平状態なので、インターロック機構２７の環状部２７ｃ，２７ｄが開閉ハンドル２６の水平バー２７ｅを上から押し付けて固定した状態となっており、これによって開閉ハンドル２６が回動操作不可能なロック状態とされる。このロックによって扉２１ｄを開とすることができず、通電状態であっても安全性が確保される。
【００３２】
次に、各ユニット室２１ａ，２１ｂから開閉機器２２を引き出す場合、まず、各操作ハンドル２５ａ，２５ｂを垂直状態とする。これによって断路器２４が水平状態となって母線２３及び電源側断路部２２ａから切り離されるので、開閉機器２２が電源断状態となる。この際、各操作ハンドル２５ａ，２５ｂは垂直状態なので、インターロック機構２７の環状部２７ｃ，２７ｄが開閉ハンドル２６の水平バー２７ｅの上方に上がった状態となっており、これによって開閉ハンドル２６が回動操作可能となので、扉２１ｄを開き、各ユニット室２１ａ，２１ｂから開閉機器２２を引き出す。この引き出しの際、開閉機器２２の凸部が凹状クリップから外れる。
【００３３】
このように、本実施の形態の配電盤２１によれば、配電盤２１内に、母線２３を最上部に配設し、この母線２３の下に開閉機器２２を抜き差し自在に収容するユニット室２１ａ，２１ｂを盤正面幅方向に複数配設し、これらユニット室２１ａ，２１ｂの下に負荷ケーブル２８を配設するケーブル室２１ｃを備え、開閉機器２２が、母線２３に着脱自在に接続される電源側断路部２２ａが上部に配置され、負荷ケーブル２８に着脱自在に接続される負荷側断路部２２ｂが下部に配置された縦型の直方体形状を成し、この開閉機器２２がユニット室２１ａ，２１ｂに収納された際に、電源側断路部２２ａが母線２３に接続され、負荷側断路部２２ｂが負荷ケーブル２８に接続されるようにした。
【００３４】
これによって、従来の配電盤に比べ全体を小型とすることができ、また、ケーブル接続作業も容易に可能となっている。この理由は、従来の配電盤は、盤背面又は盤側面に当該背面又は側面の全面のサイズで背面方向又は側面方向に空間を拡げ、この拡げた空間をケーブル室とした構成なので、ケーブル室を配電盤の高さ分確保しなければならず、このため、ケーブル室の容積が大きくなり、その分、配電盤全体の大きさが大きくなっていた。本実施の形態では、ケーブル室２１ｃは、開閉機器２２のユニット室２１ａ，２１ｂの下に設けられるので、配電盤２１の下半分位の高さで済み、その分容積を小さくすることができ、これによって配電盤２１全体を小型化することができる。従って、配電盤２１を経済的に製作することができる。
【００３５】
特に、従来の盤背面にケーブル室が設けられた配電盤と比較すると、本発明の配電盤２１では、正面から背面へ向かう奥行き方向のサイズを薄型とすることができる。また、本実施の形態の配電盤２１は、ケーブル室２１ｃは盤正面に開口し、その幅もユニット室２１ａ，２１ｂの複数分あるため、人の作業スペースも十分に確保することができ、これによってケーブル接続作業を容易に行うことができる。
【００３６】
また、本実施の形態の配電盤２１は、電源側断路部２２ａと母線２３とに橋状に接続可能に回動する板状を成す断路器２４と、盤正面の扉２１ｄに設けられ、当該扉２１ｄが閉状態でのみ断路器２４に係合して当該断路器２４を回動操作可能となる操作ハンドル２５とを備え、この操作ハンドル２５の回動操作によって電源側断路部２２ａと母線２３とを接続状態又は切離し状態とするようにした。
【００３７】
これによって、配電盤２１の扉２１ｄが閉状態でのみ、操作ハンドル２５によって開閉機器２２の電源側断路部２２ａと母線２３とを接続して通電状態とすることができるので、開閉機器２２の挿入及び引出時の安全性を確保することができる。
また、本実施の形態の配電盤２１は、操作ハンドル２５が電源側断路部２２ａと母線２３とを切離し状態とする操作状態の場合にのみ扉２１ｄの開操作が可能な開閉ハンドル２６を当該扉２１ｄに備えた。
これによって、開閉機器２２の電源側断路部２２ａと母線２３とが切離し状態である電源断状態の場合にしか扉２１ｄを開くことができないので、配電盤２１の扉２１ｄを開く際の安全性を確保することができる。
【図面の簡単な説明】
【００３８】
【図１】本発明の実施の形態に係る配電盤の構成を示し、（ａ）は内部正面図、（ｂ）は外部正面図である。
【図２】上記配電盤の構成を示し、（ａ）はインターロック機構を示す内部正面図、（ｂ）は断路器及びインターロック機構を示す内部側面図である。
【図３】従来の背面側にケーブル室を配置した配電盤の構成を示し、（ａ）は側断面図、（ｂ）は背断面図である。
【図４】従来の側面側にケーブル室を配置した配電盤の構成を示し、（ａ）は正断面図、（ｂ）は右側断面図である。
【符号の説明】
【００３９】
２１  配電盤
２１ａ，２１ｂ  ユニット室
２１ｃ  ケーブル室
２１ｄ  扉
２２  開閉機器
２２ａ  電源側断路部
２２ｂ  負荷側断路部
２２ｃ  高圧ヒューズ
２２ｄ  真空バルブ
２３  母線
２４  断路器
２４ａ  回転軸
２５  操作ハンドル
２６  開閉ハンドル
２７  インターロック機構
２７ａ，２７ｂ  垂直バー２７ａ，２７ｂ
２７ｃ，２７ｄ  環状部
２７ｅ  水平バー
２８  負荷ケーブル
２９  ケーブル端子
【図１】
2007288880.tif 000003
【図２】
2007288880.tif 000004
【図３】
2007288880.tif 000005
【図４】
2007288880.tif 000006